(57)【要約】【課題】  通過するトラフィック量に合わせて、送信処理部と受信処理部のそれぞれを最適な使用数に制御して装置全体の消費電力を低減する。【解決手段】  送信側無線伝送装置は、入力する送信データのデータ量に基づいて算出した必要送信帯域を確保するために必要な送信処理手段の数である最適送信リンク数を算出して出力する。受信側無線伝送装置は、最適送信リンク数を受信すると、最適送信リンク数に対応する数の受信処理手段のみを動作状態にして、受信準備が完了した通知である受信準備完了通知を出力する。送信側無線伝送装置は、受信側無線伝送装置が出力する受信準備完了通知を受信すると、最適送信リンク数に対応する数の送信処理手段のみを動作状態にして、動作状態の送信処理手段のそれぞれが形成する物理リンクを並行利用して１つの論理リンクを無線伝送路として形成する。【選択図】      図１
2015136051.tif 000002
【特許請求の範囲】
【請求項１】
無線データを送信する所定の帯域を有する物理リンクを構成する送信処理手段を複数備え、入力する送信データのデータ量に基づいて算出した必要送信帯域を確保するために必要な数の前記物理リンクに対応する前記送信処理手段の数である最適送信リンク数を算出して出力する送信側無線伝送装置と、
無線データを受信する所定の帯域を有する物理リンクを構成する受信処理手段を複数備え、前記送信側無線伝送装置が出力する前記最適送信リンク数を受信すると、前記複数の受信処理手段のうち、前記最適送信リンク数に対応する数の前記受信処理手段のみを動作状態にして、受信準備が完了した通知である受信準備完了通知を出力する受信側無線伝送装置と
を備え、
前記送信側無線伝送装置は、前記受信側無線伝送装置が出力する前記受信準備完了通知を受信すると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成する
ことを特徴とする無線伝送システム。
【請求項２】
前記送信側無線伝送装置は、再算出した前記最適送信リンク数である更新最適送信リンク数が増加した場合に、前記更新最適送信リンク数を前記受信側無線伝送装置に送信し、前記更新最適送信リンク数に対応する数の前記物理リンクでの受信準備が完了した通知である前記受信準備完了通知を前記受信側無線伝送装置から受けると、前記更新最適送信リンク数の増加数に対応する数の前記送信処理手段を追加して動作状態にして、動作状態の前記送信処理手段のそれぞれが形成する前記物理リンクを並行利用して１つの論理リンクを無線伝送路として形成し、
前記受信側無線伝送装置は、前記送信側無線伝送装置から受信した前記更新最適送信リンク数が増加している場合、前記更新最適送信リンク数の増加数に対応する数の前記受信処理手段を追加して動作状態にして、前記受信準備完了通知を前記送信側無線伝送装置に伝送する
ことを特徴とする請求項１に記載の無線伝送システム。
【請求項３】
前記送信側無線伝送装置は、再算出した前記最適送信リンク数である更新最適送信リンク数が減少した場合に、前記更新最適送信リンク数の減少数に対応する数の前記送信処理手段を停止させ、前記更新最適送信リンク数を前記受信側無線伝送装置に送信し、前記更新最適送信リンク数に対応する数の前記物理リンクでの受信準備が完了した通知である前記受信準備完了通知を前記受信側無線伝送装置から受けると、動作状態の前記送信処理手段のそれぞれが形成する前記物理リンクを並行利用して１つの論理リンクを無線伝送路として形成し、
前記受信側無線伝送装置は、前記送信側無線伝送装置から受信した前記更新最適送信リンク数が減少している場合、前記更新最適送信リンク数の減少数に対応する数の前記受信処理手段を停止させて前記受信準備完了通知を返送する
ことを特徴とする請求項１または請求項２に記載の無線伝送システム。
【請求項４】
無線データを送信する所定の帯域を有する物理リンクを形成する複数の送信処理手段と、
無線データを受信する所定の帯域を有する物理リンクを形成する複数の受信処理手段と、
入力伝送路を監視して、入力する送信データのデータ量に基づいて必要送信帯域を算出するトラフィック監視手段と、
前記トラフィック監視手段が算出した前記必要送信帯域を確保するために必要な数の前記物理リンクに対応する前記送信処理手段の数である最適送信リンク数を算出し、前記最適送信リンク数を対向無線伝送装置に送信し、前記最適送信リンク数に対応する数の前記物理リンクでの受信準備が完了した通知である受信準備完了通知を前記対向無線伝送装置から受けると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成する論理リンク形成制御手段と
を備え、
前記論理リンク形成制御手段は、対向無線伝送装置から前記最適送信リンク数を受信すると、前記複数の受信処理手段のうち、前記最適送信リンク数に対応する数の前記受信処理手段のみを動作状態にして、前記受信準備完了通知を返送する
ことを特徴とする無線伝送装置。
【請求項５】
前記論理リンク形成制御手段は、
再算出した前記最適送信リンク数である更新最適送信リンク数が増加した場合、前記更新最適送信リンク数を対向無線伝送装置に送信し、前記更新最適送信リンク数に対応する数の前記物理リンクでの受信準備が完了した通知である前記受信準備完了通知を前記対向無線伝送装置から受けると、前記更新最適送信リンク数の増加数に対応する数の前記送信処理手段を追加して動作状態にして、動作状態の前記送信処理手段のそれぞれが形成する前記物理リンクを並行利用して１つの論理リンクを無線伝送路として形成し、
対向無線伝送装置から受信した前記更新最適送信リンク数が増加している場合、前記更新最適送信リンク数の増加数に対応する数の前記受信処理手段を追加して動作状態にして、前記受信準備完了通知を返送する
ことを特徴とする請求項４に記載の無線伝送装置。
【請求項６】
前記論理リンク形成制御手段は、
再算出した前記最適送信リンク数である更新最適送信リンク数が減少した場合、前記更新最適送信リンク数の減少数に対応する数の前記送信処理手段を停止させ、前記更新最適送信リンク数を対向無線伝送装置に送信し、前記更新最適送信リンク数に対応する数の前記物理リンクでの受信準備が完了した通知である前記受信準備完了通知を前記対向無線伝送装置から受けると、動作している前記送信処理手段のそれぞれが形成する前記物理リンクを並行利用して１つの論理リンクを無線伝送路として形成し、
対向無線伝送装置から受信した前記更新最適送信リンク数が減少している場合、前記更新最適送信リンク数の減少数に対応する数の前記受信処理手段を停止させて前記受信準備完了通知を返送する
ことを特徴とする請求項４または請求項５に記載の無線伝送装置。
【請求項７】
前記複数の送信処理手段と前記複数の受信処理手段のそれぞれには連続番号が付され、
前記論理リンク形成制御回路は、
前記最適送信リンク数に対応する数の前記送信処理手段のみ、または前記受信処理手段のみを動作状態にするとき、前記連続番号の若番順に前記最適送信リンク数に対応する数の前記送信処理手段、または前記受信処理手段を動作状態にし、
前記更新最適送信リンク数の増加数に対応する数の前記送信処理手段、または前記受信処理手段を動作状態にするとき、動作中の前記送信処理手段、または前記受信処理手段に付された最老番の前記連続番号の次の連続番号から若番順に、前記更新最適送信リンク数の増加数に対応する数の前記送信処理手段、または前記受信処理手段を動作状態にし、
前記更新最適送信リンク数の減少数に対応する数の前記送信処理手段、または前記受信処理手段を停止させるとき、動作中の前記送信処理手段、または前記受信処理手段のうち、前記連続番号の老番順に、前記更新最適送信リンク数の減少数に対応する数の前記送信処理手段、または前記受信処理手段を停止させる
ことを特徴とする請求項４乃至６のいずれかの請求項に記載の無線伝送装置。
【請求項８】
前記複数の送信処理手段は、前記論理リンク形成制御手段が出力する送信制御情報を、送信トラフィックの無線フレームに挿入して前記対向伝送装置に送信する代表送信処理手段を含み、
前記複数の受信処理手段は、前記対向伝送装置から受信した受信トラフィックの無線フレームから、受信制御情報を抽出して前記論理リンク形成制御手段に伝送する代表受信処理手段を含み、
前記代表送信処理手段が前記無線フレームに挿入する前記送信制御情報が前記対向伝送装置に送信する前記最適送信リンク数または前記更新最適送信リンク数の場合、前記代表受信処理手段が前記対向伝送装置から受信した前記無線フレームから抽出する前記受信制御情報は前記受信準備完了通知であり、
前記代表受信処理手段が前記対向伝送装置から受信した前記無線フレームから抽出する前記受信制御情報が前記最適送信リンク数または前記更新最適送信リンク数の場合、前記代表送信処理手段が前記無線フレームに挿入する前記送信制御情報が前記対向伝送装置に送信する前記受信準備完了通知である
ことを特徴とする請求項４乃至７のいずれかの請求項に記載の無線伝送装置。
【請求項９】
無線データを送信する所定の帯域を有する物理リンクを構成する送信処理手段を複数備えた送信側無線伝送装置が、入力する送信データのデータ量に基づいて算出した必要送信帯域を確保するために必要な数の前記物理リンクに対応する前記送信処理手段の数である最適送信リンク数を算出して出力し、
無線データを受信する所定の帯域を有する物理リンクを構成する受信処理手段を複数備えた受信側無線伝送装置が、前記送信側無線伝送装置が出力する前記最適送信リンク数を受信すると、前記複数の受信処理手段のうち、前記最適送信リンク数に対応する数の前記受信処理手段のみを動作状態にして、受信準備が完了した通知である受信準備完了通知を出力し、
前記送信側無線伝送装置が、前記受信側無線伝送装置が出力する前記受信準備完了通知を受信すると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成する
ことを特徴とする無線伝送方法。
【請求項１０】
無線データを送信する所定の帯域を有する物理リンクを形成する複数の送信処理手段と、無線データを受信する所定の帯域を有する物理リンクを形成する複数の受信処理手段を備えた無線伝送装置が、入力伝送路を監視して、入力する送信データのデータ量に基づいて必要送信帯域を算出し、
前記必要送信帯域を確保するために必要な数の前記物理リンクに対応する前記送信処理手段の数である最適送信リンク数を算出して対向無線伝送装置に送信し、
送信した前記最適送信リンク数に対応する数の前記物理リンクでの受信準備が完了した通知である受信準備完了通知を前記対向無線伝送装置から受けると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成し、
対向無線伝送装置から前記最適送信リンク数を受信すると、前記複数の受信処理手段のうち、前記最適送信リンク数に対応する数の前記受信処理手段のみを動作状態にして、前記受信準備完了通知を返送する
ことを特徴とする無線伝送方法。
【発明の詳細な説明】
【技術分野】
【０００１】
本発明は、無線伝送システム、無線伝送装置および無線伝送方法に関し、特に固定デジタル無線通信の消費電力を低減する無線伝送システム、無線伝送装置および無線伝送方法に関する。
【背景技術】
【０００２】
近年インターネットの普及により有線通信で扱う通信量が増えており、それに追従して移動通信システムのモバイルバックホールにおける通信量も増えている。モバイルバックホールは、点在する複数の無線基地局を収容してコアネットワークに接続するためのネットワークで、有線通信だけでなく無線通信を用いた通信回線でも構成される。そのため、無線通信においても有線通信並みの通信量を扱うことが求められている。
【０００３】
無線通信において通信量を増やすための技術として、リンクアグリゲーションを無線通信に適用する技術や、無線区間の伝搬状態に応じて変調方式を変化させてリンク容量を最適化する適応変調無線方式の技術が開発され、利用されている。
【０００４】
リンクアグリゲーションでは、例えば１００Ｍｂｐｓの物理回線を５本束ねることにより、５００Ｍｂｐｓの論理回線として使用することができる。
【０００５】
このようなリンクアグリゲーション技術を無線伝送システムに適用した発明が特許文献１に開示されている。
【０００６】
特許文献１は、リンクアグリゲーション技術を適用した無線伝送システムにおいて、無線伝送リンクの通信品質を考慮して所定の通信品質を確保できるようにした無線伝送装置を開示する。この無線伝送システムにおいて、無線伝送装置は、それぞれがアンテナを有する複数の無線信号処理手段がそれぞれ独立した無線伝送リンクを形成する。これらの複数の無線伝送リンクは、リンクアグリゲーション制御手段およびパケット転送制御手段により、１つの論理的な無線伝送リンクとして扱われる。リンクアグリゲーション制御手段は、相手側装置からフィードバック通知された物理リンク毎の信号レベルにもとづいて物理リンクの優先度を決定する。そして、パケット転送制御手段は、データの送信にあたって、所定の容量の使用可能帯域を有しかつ優先度の高い物理リンクをデータ送信先として選択するように構成されている。
【０００７】
また、適応変調無線方式は、無線伝送リンクの伝搬状態が良好なときには変調多値数を多くして信号の伝送レートを向上させ、伝搬状態が不良のときには変調多値数を少なくして通信品質の劣化に対処する技術である。
【０００８】
この変調多値数をトラヒック量に基づいて変化させることで送信電力制御を行う無線通信システムが特許文献２に開示されている。
【０００９】
特許文献２が開示する無線通信システムは、有線伝送路におけるデータ量を検出してトラヒック量を判定し、その判定結果に応じて変調多値数を変更するように構成されている。つまり、トラヒック量が少ない場合は、伝送レートを低く抑え、送信電力も小さく設定することにより省電力化を図るものである。
【先行技術文献】
【特許文献】
【００１０】
【特許文献１】国際公開第2013/001732号
【特許文献２】国際公開第2012/128146号
【発明の概要】
【発明が解決しようとする課題】
【００１１】
特許文献１が開示する無線伝送装置は、リンクアグリゲーショングループとして扱われる各無線信号処理手段により提供される無線伝送リンクに、その通信品質に応じて優先度を付す。転送パケットは、パケットの優先度に応じて優先度別に設定された無線伝送リンクに振り分けられる。そして、優先度別に設定された無線伝送リンクには、所定の帯域が割り当てられており、各無線信号処理手段では送信処理部と受信処理部が共通で動作をしている。
【００１２】
しかし、特許文献１が開示する無線伝送装置には、通過するトラフィック量に合わせて、送信処理部と受信処理部のそれぞれを最適な使用数に制御することについては開示されていない。そのため、通過するトラフィック量が設定された帯域よりも少ないような場合であっても、所定の帯域の無線信号処理手段が稼働状態になっており、装置におけるＲＦ（Radio Frequency）出力電力が無駄に消費されているという問題がある。
【００１３】
また、特許文献２が開示する無線通信システムは、装置の省電力化を図るものではあるが、送信処理部と受信処理部のそれぞれを最適な使用数に制御することにより省電力化を図る技術ではない。
【００１４】
本発明は、通過するトラフィック量に合わせて、送信処理部と受信処理部のそれぞれを最適な使用数に制御することにより、装置全体の消費電力を低減する無線伝送システム、無線伝送装置および無線伝送方法を提供することを目的とする。
【課題を解決するための手段】
【００１５】
上記の目的を実現するために、本発明の一形態である無線伝送システムは、無線データを送信する所定の帯域を有する物理リンクを構成する送信処理手段を複数備え、入力する送信データのデータ量に基づいて算出した必要送信帯域を確保するために必要な数の前記物理リンクに対応する前記送信処理手段の数である最適送信リンク数を算出して出力する送信側無線伝送装置と、無線データを受信する所定の帯域を有する物理リンクを構成する受信処理手段を複数備え、前記送信側無線伝送装置が出力する前記最適送信リンク数を受信すると、前記複数の受信処理手段のうち、前記最適送信リンク数に対応する数の前記受信処理手段のみを動作状態にして、受信準備が完了した通知である受信準備完了通知を出力する受信側無線伝送装置と、を含み、前記送信側無線伝送装置は、前記受信側無線伝送装置が出力する前記受信準備完了通知を受信すると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成することを特徴とする。
【００１６】
また、本発明の他の一形態である無線伝送装置は、無線データを送信する所定の帯域を有する物理リンクを形成する複数の送信処理手段と、無線データを受信する所定の帯域を有する物理リンクを形成する複数の受信処理手段と、入力伝送路を監視して、入力する送信データのデータ量に基づいて必要送信帯域を算出するトラフィック監視手段と、前記トラフィック監視手段が算出した前記必要送信帯域を確保するために必要な数の前記物理リンクに対応する前記送信処理手段の数である最適送信リンク数を算出し、前記最適送信リンク数を対向無線伝送装置に送信し、前記最適送信リンク数に対応する数の前記物理リンクでの受信準備が完了した通知である受信準備完了通知を前記対向無線伝送装置から受けると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成する論理リンク形成制御手段と、を含み、前記論理リンク形成制御手段は、対向無線伝送装置から前記最適送信リンク数を受信すると、前記複数の受信処理手段のうち、前記最適送信リンク数に対応する数の前記受信処理手段のみを動作状態にして、前記受信準備完了通知を返送することを特徴とする。
【００１７】
また、本発明の他の形態である無線伝送方法は、無線データを送信する所定の帯域を有する物理リンクを構成する送信処理手段を複数備えた送信側無線伝送装置が、入力する送信データのデータ量に基づいて算出した必要送信帯域を確保するために必要な数の前記物理リンクに対応する前記送信処理手段の数である最適送信リンク数を算出して出力し、無線データを受信する所定の帯域を有する物理リンクを構成する受信処理手段を複数備えた受信側無線伝送装置が、前記送信側無線伝送装置が出力する前記最適送信リンク数を受信すると、前記複数の受信処理手段のうち、前記最適送信リンク数に対応する数の前記受信処理手段のみを動作状態にして、受信準備が完了した通知である受信準備完了通知を出力し、前記送信側無線伝送装置が、前記受信側無線伝送装置が出力する前記受信準備完了通知を受信すると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成することを特徴とする。
【００１８】
さらに、本発明の別の形態である無線伝送方法は、無線データを送信する所定の帯域を有する物理リンクを形成する複数の送信処理手段と、無線データを受信する所定の帯域を有する物理リンクを形成する複数の受信処理手段を備えた無線伝送装置が、入力伝送路を監視して、入力する送信データのデータ量に基づいて必要送信帯域を算出し、前記必要送信帯域を確保するために必要な数の前記物理リンクに対応する前記送信処理手段の数である最適送信リンク数を算出して対向無線伝送装置に送信し、送信した前記最適送信リンク数に対応する数の前記物理リンクでの受信準備が完了した通知である受信準備完了通知を前記対向無線伝送装置から受けると、前記複数の送信処理手段のうち、前記最適送信リンク数に対応する数の前記送信処理手段のみを動作状態にして、動作状態の前記送信処理手段のそれぞれが形成する前記物理リンクを並行利用して１つの論理リンクを無線伝送路として形成し、対向無線伝送装置から前記最適送信リンク数を受信すると、前記複数の受信処理手段のうち、前記最適送信リンク数に対応する数の前記受信処理手段のみを動作状態にして、前記受信準備完了通知を返送することを特徴とする。
【発明の効果】
【００１９】
本発明は、通過するトラフィック量に合わせて、送信処理部と受信処理部のそれぞれを最適な使用数に制御して、装置全体の消費電力を低減することができる。
【図面の簡単な説明】
【００２０】
【図１】本発明の第１の実施形態の無線伝送システムの構成を示すブロック図である。
【図２】第１の実施形態の無線伝送装置の構成を示すブロック図である。
【図３】第１の実施形態の無線伝送システムの動作を示すシーケンス図である。
【図４】第１の実施形態の無線伝送装置の動作を示すフロー図である。
【図５】本発明の第２の実施形態の無線伝送装置の構成を示すブロック図である。
【図６】本発明の第２の実施形態の無線伝送装置の送信処理の動作を示すフロー図である。
【図７】第２の実施形態の無線伝送装置の受信処理の動作を示すフローである。
【図８】第２の実施形態の無線伝送装置の最適送信リンク数が増加した場合の送信動作における各構成要素間の関連を示すシーケンス図である。
【図９】第２の実施形態の無線伝送装置の受信動作における各構成要素間の関連を示すシーケンス図である。
【図１０】第２の実施形態の無線伝送装置の最適送信リンク数が減少した場合の送信動作における各構成要素間の関連を示すシーケンス図である。
【発明を実施するための形態】
【００２１】
本発明を実施するための形態について図面を参照して説明する。
【００２２】
図１および図２を参照して、本発明の第１の実施形態の無線伝送システムと無線伝送装置をそれぞれ説明する。
【００２３】
図１は、本発明の第１の実施形態の無線伝送システムの構成を示すブロック図である。
【００２４】
また、図２は、本発明の第１の実施形態の無線伝送装置の構成を示すブロック図である。
【００２５】
尚、実施の形態は例示であり、開示の装置及びシステムは、以下の実施の形態の構成には限定されない。
【００２６】
図１を参照すると、本発明の第１の実施形態の無線伝送システム１は、送信側無線伝送装置１０と受信側無線伝送装置２０と、を含んで構成される。
【００２７】
送信側無線伝送装置１０は、無線データを送信する所定の帯域を有する物理リンクを構成する送信処理手段（１１、１２、１３〜１ｎ：ｎは自然数）を複数備える。送信側無線伝送装置１０は、入力する送信データのデータ量に基づいて算出した必要送信帯域を確保するために必要な数の物理リンクに対応する送信処理手段（１１、１２、１３〜１ｎ）の数である最適送信リンク数を算出して出力する。
【００２８】
受信側無線伝送装置２０は、無線データを受信する所定の帯域を有する物理リンクを構成する受信処理手段（２１、２２、２３〜２ｎ：ｎは自然数）を複数備える。受信側無線伝送装置２０は、送信側無線伝送装置１０が出力する最適送信リンク数を受信すると、複数の受信処理手段のうち、その最適送信リンク数に対応する数の受信処理手段のみを動作状態にする。そして、受信側無線伝送装置２０は、受信準備が完了した通知である受信準備完了通知を出力する。
【００２９】
送信側無線伝送装置１０は、受信側無線伝送装置２０が出力する受信準備完了通知を受信すると、複数の送信処理手段のうち、最適送信リンク数に対応する数の送信処理手段のみを動作状態にする。
【００３０】
そして、送信側無線伝送装置１０は、動作状態の送信処理手段のそれぞれが形成する物理リンクを並行利用して１つの論理リンクを無線伝送路として形成する。
【００３１】
なお、上述した、送信側無線伝送装置１０と受信側無線伝送装置２０は、図２を参照して説明する第１の実施形態の無線伝送装置１００が無線伝送路を介して対向する形態となる。無線伝送装置１００が送信トラフィックを扱うときは送信側無線伝送装置１０として動作し、受信トラフィックを扱うときは受信側無線伝送装置２０として動作する。
【００３２】
図２を参照すると、本発明の第１の実施形態の無線伝送装置１００は、複数の送信処理手段、複数の受信処理手段、トラフィック監視手段１３０および論理リンク形成制御手段１４０と、を含んで構成される。なお、送信処理手段には、参照符号１１０、１１１、１１２〜１１ｎ（ｎは自然数）を付し、受信処理手段には、参照符号１２０、１２１、１２２〜１２ｎ（ｎは自然数）を付す。
【００３３】
それぞれの送信処理手段１１０、１１１、１１２〜１１ｎは、無線データを送信する所定の帯域を有する物理リンクを形成する。また、それぞれの受信処理手段１２０、１２１、１２２〜１２ｎは、無線データを受信する所定の帯域を有する物理リンクを形成する。
【００３４】
トラフィック監視手段１３０は、入力伝送路を監視して、入力する送信データのデータ量に基づいて必要送信帯域を算出する。
【００３５】
論理リンク形成制御手段１４０は、トラフィック監視手段１３０が算出した必要送信帯域を確保するために必要な数の物理リンクに対応する送信処理手段の数である最適送信リンク数を算出する。論理リンク形成制御手段１４０は、算出した最適送信リンク数を対向無線伝送装置に送信する。そして、送信した最適送信リンク数に対応する数の物理リンクでの受信準備が完了した通知である受信準備完了通知を対向無線伝送装置から受ける。
【００３６】
受信準備完了通知を受けた論理リンク形成制御手段１４０は、複数の送信処理手段１１０、１１１、１１２〜１１ｎのうち、最適送信リンク数に対応する数の送信処理手段のみを動作状態にする。そして、動作状態の送信処理手段のそれぞれが形成する物理リンクを並行利用して１つの論理リンクを無線伝送路として形成する。
【００３７】
また、論理リンク形成制御手段１４０は、対向無線伝送装置から最適送信リンク数を受信すると、複数の受信処理手段１２０、１２１、１２２〜１２ｎのうち、最適送信リンク数に対応する数の受信処理手段のみを動作状態にする。そして、論理リンク形成制御手段１４０は、受信準備完了通知を返送する。
【００３８】
続いて、図３および図４を参照して、本発明の第１の実施形態の無線伝送システムの動作と無線伝送装置の動作をそれぞれ説明する。
【００３９】
図３は、本発明の第１の実施形態の無線伝送システムの動作を示すシーケンス図である。
【００４０】
図４は、本発明の第１の実施形態の無線伝送装置の動作を示すフロー図である。
【００４１】
なお、第１の実施形態では、無線伝送システムや無線伝送装置が動作することによって、無線伝送方法が実施される。よって、第１の実施形態における無線伝送方法の説明は、以下の無線伝送システムや無線伝送装置の動作説明に代わる。
【００４２】
まず、図３を参照すると、本発明の一形態である無線伝送方法は、無線伝送システムが次のように動作する。
【００４３】
送信側無線伝送装置が、入力する送信データのデータ量に基づいて算出した必要送信帯域を確保するために必要な数の物理リンクに対応する送信処理手段の数である最適送信リンク数を算出する（Ｓ１０１）。なお、送信側無線伝送装置は、無線データを送信する所定の帯域を有する物理リンクを構成する送信処理手段を複数備える。
【００４４】
送信側無線伝送装置が、その最適送信リンク数を出力する（Ｓ１０２）。
【００４５】
受信側無線伝送装置が、送信側無線伝送装置が出力する前記最適送信リンク数を受信すると、複数の受信処理手段のうち、最適送信リンク数に対応する数の受信処理手段のみを動作状態にする（Ｓ１０３）。なお、受信側無線伝送装置は、無線データを受信する所定の帯域を有する物理リンクを構成する受信処理手段を複数備える。
【００４６】
受信側無線伝送装置が、受信準備が完了した通知である受信準備完了通知を出力する（Ｓ１０４）。
【００４７】
送信側無線伝送装置が、受信側無線伝送装置が出力する受信準備完了通知を受信すると、複数の送信処理手段のうち、最適送信リンク数に対応する数の送信処理手段のみを動作状態にする（Ｓ１０５）。そして、動作状態の送信処理手段のそれぞれが形成する物理リンクを並行利用して１つの論理リンクを無線伝送路として形成する（Ｓ１０６）。
【００４８】
次に、図４を参照すると、本発明の第１の実施形態の別の一形態である無線伝送方法は、無線伝送装置が次のように動作する。なお、無線伝送装置の動作は送信処理と受信処理とに分かれている。
【００４９】
無線伝送装置の送信処理は次のように動作する。
【００５０】
入力伝送路を監視して、入力する送信データのデータ量に基づいて必要送信帯域を算出し、その必要送信帯域を確保するために必要な数の物理リンクに対応する送信処理手段の数である最適送信リンク数を算出する（Ｓ１１１）。
【００５１】
なお、無線伝送装置は、複数の送信処理手段と複数の受信処理手段とを含み、送信処理手段は無線データを送信する所定の帯域を有する物理リンクを形成し、受信処理手段は無線データを受信する所定の帯域を有する物理リンクを形成する。
【００５２】
最適送信リンク数は対向無線伝送装置に送信される（Ｓ１１２）。
【００５３】
送信した最適送信リンク数に対応する数の物理リンクでの受信準備が完了した通知である受信準備完了通知を、対向無線伝送装置から受信する（Ｓ１１３）。そして、この受信準備完了通知を受けると、複数の信号処理手段のうち、最適送信リンク数に対応する数の信号処理手段のみにおいて送信処理手段を動作状態にする（Ｓ１１４）。
【００５４】
動作状態の送信処理手段のそれぞれが形成する物理リンクを並行利用して１つの論理リンクを無線伝送路として形成する（Ｓ１１５）。
【００５５】
以上が、無線伝送装置の送信処理である。
【００５６】
そして、無線伝送装置の受信処理は次のように動作する。
【００５７】
対向無線伝送装置から最適送信リンク数を受信する（Ｓ１２１）。
【００５８】
複数の受信処理手段のうち、伝送された最適送信リンク数に対応する数の受信処理手段のみを動作状態にする（Ｓ１２２）。
【００５９】
そして、受信準備完了通知を対向無線伝送装置に返送する（Ｓ１２３）。
【００６０】
以上に説明したように、本実施形態では、入力する送信データのデータ量に基づいて必要送信帯域を算出する。そして、その必要送信帯域を確保するために必要な数の物理リンクを賄うためには、何台の送信処理手段を必要とするのかを算出する。この必要送信帯域を確保するために必要な数の物理リンクを賄うために必要な送信処理手段の数を最適送信リンク数と称している。
【００６１】
送信側装置で算出した最適送信リンク数は、対向する受信側装置に通知される。受信側装置では、送信側装置で決められたリンク数に対応する数の受信処理手段のみを動作状態にして、他の受信処理手段は停止状態とする。受信側装置で必要数の受信処理手段のみを動作状態にして受信の準備が完了すると、受信準備完了通知が送信側装置に通知される。
【００６２】
受信側装置での受信準備完了を知った送信側装置では、最適送信リンク数に対応する送信処理手段のみを動作状態にして、他の送信処理手段は停止状態とする。そして、送信側装置では、動作状態の送信処理手段のそれぞれが形成する物理リンクを使ったリンクアグリゲーション制御を行う。
【００６３】
上記の処理により、信号の送信方向における最適な送信処理手段と受信処理手段の数がそれぞれ対向する無線伝送装置内で決められる。したがって、同一の無線伝送装置においては、送信方向と受信方向を通過するそれぞれのデータ量に応じて、それぞれに最適な数の送信処理手段と受信処理手段が使用される。
【００６４】
つまり、送信方向と受信方向を通過するそれぞれのデータ量に応じて、異なる数の送信処理手段と受信処理手段が使用され得る。そして、不要な送信処理手段および受信処理手段は停止状態にされる。
【００６５】
したがって、本実施形態では、通過するトラフィック量に合わせて、送信処理手段と受信処理手段のそれぞれが最適な使用数に制御され、無線伝送装置全体の消費電力を低減することができる。
【００６６】
次に第２の実施形態を説明する。
【００６７】
図５は本発明の第２の実施形態の無線伝送装置の構成を示すブロック図である。
【００６８】
第２の実施形態の無線伝送装置２００は、有線伝送路で送受信される有線伝送路の信号形式を無線伝送路の信号形式に変換し、無線伝送路を介して対向する他の無線伝送装置との間で無線フレームを送受信する。
【００６９】
なお、第２の実施形態の無線伝送システムは、図示および詳細説明を省略するが、以下に説明する無線伝送装置２００が無線伝送路を介して、送信側無線伝送装置と受信側無線伝送装置として対向する形態となる。そして、第２の実施形態の無線伝送システムにおいて、無線伝送装置２００は、送信トラフィックを扱うときは送信側無線伝送装置として動作し、受信トラフィックを扱うときは受信側無線伝送装置として動作する。
【００７０】
無線伝送装置２００は無線フレームを送受信するための構成として、複数の信号処理回路（２１０、２１１、２１２〜２１ｎ：ｎは自然数）を含む。
【００７１】
各信号処理回路２１０、２１１、２１２〜２１ｎは、無線フレームを無線伝送路に送信する送信処理部と無線フレームを無線伝送路から受信する受信処理部を含む。送信処理部と受信処理部は、それぞれ所定の帯域を有する物理リンクを構成する。なお、ここでは、送信処理部と受信処理部のそれぞれは、すべてが同一の帯域を有するものとして説明する。
【００７２】
また、信号処理回路２１０を代表信号処理回路と称し、後述するように他の信号処理回路２１１、２１２〜２１ｎとは異なる機能を有する。
【００７３】
有線伝送路で送受信される有線伝送路の信号形式を無線伝送路の信号形式に変換する構成として、無線伝送装置２００は、送信信号変換回路２４０と受信信号変換回路２５０を含む。
【００７４】
送信信号変換回路２４０は、有線伝送路である入力伝送路から入力する有線データ信号列を無線フレームデータ列に変換して信号処理回路２１０、２１１、２１２〜２１ｎの送信処理部に出力する。
【００７５】
受信信号変換回路２５０は、信号処理回路２１０、２１１、２１２〜２１ｎの受信処理部から入力する無線フレームデータ列を有線データ信号列に変換して有線伝送路である出力伝送路に出力する。
【００７６】
無線伝送装置２００は、トラフィック監視回路２２０と論理リンク形成制御回路２３０をさらに含む。
【００７７】
トラフィック監視回路２２０は、入力伝送路から入力する送信データ量を、送信信号変換回路において常時監視する。なお、第１の実施形態におけるトラフィック監視手段１３０は、トラフィック監視回路２２０と送信信号変換回路２４０に相当する。
【００７８】
トラフィック監視回路２２０は、検出した入力データに基づいて、例えば、単位時間におけるデータ量を利用して送信伝送レートを算出する。
【００７９】
トラフィック監視回路２２０は、初期動作においては一定時間監視した平均値の送信伝送レートを論理リンク形成制御回路２３０に通知する。また、その後の監視において、一定時間監視した平均値の送信伝送レートに所定の増減の変化があった場合に、論理リンク形成制御回路２３０に通知する。
【００８０】
論理リンク形成制御回路２３０は、後述する処理を実行して、トラフィック監視回路２２０から通知された送信伝送レートの信号を通過させるために必要な数の物理リンクを統合するリンクアグリゲーション制御を行う。
【００８１】
論理リンク形成制御回路２３０は、トラフィック監視回路２２０から運用中に送信伝送レートに所定の増減の変化があった旨の通知を受けると、通知を受けた送信伝送レートの信号を通過させるために必要な物理リンク数を増減させる制御を行う。
【００８２】
ここで、論理リンク形成制御回路２３０が行う送信伝送レートの信号を通過させるために必要な数の物理リンクを統合する制御の概要を説明する。
【００８３】
論理リンク形成制御回路２３０は、トラフィック監視回路２２０から通知された送信伝送レートの信号を通過させるために必要な物理リンク数を算出する。前述のように、各送信処理部はすべて同じ帯域を有するので、送信伝送レートを送信処理部が有する帯域で除算すれば、必要な物理リンク数が求まる。
【００８４】
論理リンク形成制御回路２３０がここで求めた物理リンク数を最適送信リンク数と称する。例えば、トラフィック監視回路２２０から通知された送信伝送レートが５０Ｍｂｐｓで、各送信処理部の物理リンクの帯域が２０Ｍｂｐｓであった場合、最適送信リンク数は「３」となる。
【００８５】
一方、物理リンクとして、送信側で動作させる送信処理部と対応する受信側の受信処理部が対向無線伝送装置において動作しなくてはならない。
【００８６】
そこで、最適送信リンク数を決定した論理リンク形成制御回路２３０は、最適送信リンク数を代表信号処理回路２１０に通知する。そして、代表信号処理回路２１０は、論理リンク形成制御回路２３０から通知された最適送信リンク数を、送信信号変換回路２４０から伝送される送信トラフィックの無線フレームに含めて対向無線伝送装置に送信する。
【００８７】
詳細は後述するが、対向無線伝送装置では、無線フレームに含まれる最適送信リンク数に基づいて必要とされる数の受信処理部を動作させ、送信側で決定した数の物理リンクによる受信準備が完了した旨の受信準備完了通知を返送する。
【００８８】
この受信準備完了通知は、無線フレームに含まれて対向無線伝送装置から代表信号処理回路２１０の受信処理部で受信される。
【００８９】
代表信号処理回路２１０の受信処理部は、受信準備完了通知を無線フレームから抽出し、受信準備完了通知を論理リンク形成制御回路２３０に送る。そして、残りの無線フレームは受信トラフィックとして受信信号変換回路２５０に伝送される。
【００９０】
受信準備完了通知を受けた論理リンク形成制御回路２３０は、決定した最適送信リンク数に対応する数の信号処理回路の送信処理部のみを動作状態にする。このとき、信号処理回路に付与された連続番号（連番）が若番の信号処理回路から順番に、送信処理部を動作させるものとする。
【００９１】
そして、論理リンク形成制御回路２３０は、動作状態の送信処理部のそれぞれが形成する物理リンクを並行利用するリンクアグリゲーションの制御を行って１つの論理リンクを無線伝送路として形成する。
【００９２】
上述したように、代表信号処理回路２１０は、論理リンク形成制御回路２３０と協働して、最適送信リンク数や受信準備完了通知の制御情報を無線伝送装置間で転送する処理機能を含む。したがって、代表信号処理回路２１０は、常に動作状態であることを前提とし、最若番の連番が付与される。
【００９３】
以上のように構成された第２の実施形態の無線伝送装置２００の動作を図６乃至図１０を参照して説明する。
【００９４】
図６は、無線伝送装置２００の送信処理の動作を示すフロー図である。
【００９５】
図７は、無線伝送装置２００の受信処理の動作を示すフローである。
【００９６】
図８は、無線伝送装置２００の最適送信リンク数が増加した場合の送信動作における各構成要素間の関連を示すシーケンス図である。
【００９７】
図９は、無線伝送装置２００の受信動作における各構成要素間の関連を示すシーケンス図である。
【００９８】
図１０は、無線伝送装置２００の最適送信リンク数が減少した場合の送信動作における各構成要素間の関連を示すシーケンス図である。
【００９９】
まず、図６と、適宜図８を参照して、無線伝送装置２００の送信処理の動作を説明する。
【０１００】
図６のステップＳ１３１において、無線伝送装置２００は送信データ量から最適送信リンク数を算出する。これは、前述したように、トラフィック監視回路２２０が常時監視している入力伝送路から入力する送信データ量に基づいて算出した送信伝送レートを、論理リンク形成制御回路２３０が、送信処理部の物理リンクの帯域で除算することにより求まる。
【０１０１】
また、トラフィック監視回路２２０は、一定時間監視した平均値の送信伝送レートに所定の増減の変化があった場合に、論理リンク形成制御回路２３０に通知することを行っている。送信伝送レートが増えて最適送信リンク数を増やす制御や、逆に、送信伝送レートが減って最適送信リンク数を減らす制御が必要なレベルの値が、増減変化を通知する基準値として予め設定されている。
【０１０２】
そこで、論理リンク形成制御回路２３０は、トラフィック監視回路２２０から通知された送信伝送レートに基づいて最適送信リンク数を再算出して更新した場合には、その更新した最適送信リンク数の増減を判定する（Ｓ１３２）。
【０１０３】
論理リンク形成制御回路２３０は、ステップＳ１３２の判定結果により、最適送信リンク数が増加した場合の処理（Ｓ１３２、増）、または最適送信リンク数が減少した場合の処理（Ｓ１３２、減）を行う。
【０１０４】
最適送信リンク数が増加した場合と減少した場合とでは、信号処理回路２１０、２１１、２１２〜２１ｎの送信処理部および受信処理部に対する制御が異なる。
【０１０５】
最適送信リンク数が増加した場合、新たな送信処理部を追加して動作させるので、対向する無線伝送装置において追加する受信処理部を先に動作させて受信準備をしておく必要がある。一方、最適送信リンク数が減少した場合、動作中の送信処理部の一部を停止するので、対向する無線伝送装置における受信処理部を後から停止させても問題ない。
【０１０６】
なお、送信処理に必要な送信処理部を最初にすべて動作させる初期動作は、最適送信リンク数を増加させる場合の動作コンセプトと同じで、最適送信リンク数が増加した場合と同様の動作が行われる。つまり、初期動作の場合は、ステップＳ１３２をスキップしてステップＳ１３３以降の処理が行われるものとする。
【０１０７】
ここまでの動作は、図８のシーケンスでは、ステップＳ１５１乃至Ｓ１５３に相当する。以降は、必要な送信処理部を最初にすべて動作させる初期動作および最適送信リンク数が増加した場合の送信動作について説明する。なお、図６のステップＳ１３６以降の、最適送信リンク数が減少した場合の送信動作処理については、図１０を併用して後述する。
【０１０８】
論理リンク形成制御回路２３０は、ステップＳ１３１で算出した最適送信リンク数を対向する無線伝送装置に送信する（Ｓ１３３）。これは、前述したように、対向する無線伝送装置における受信処理部を先に動作させて受信準備をさせるためである。
【０１０９】
論理リンク形成制御回路２３０は、算出した最適送信リンク数を対向無線伝送装置に送るべく、最適送信リンク数の情報を代表信号処理回路２１０に出力する。図５を参照すると、論理リンク形成制御回路２３０から代表信号処理回路２１０の送信処理部に向けた太線矢印が、最適送信リンク数情報を伝送する送信情報用信号線である。
【０１１０】
論理リンク形成制御回路２３０から最適送信リンク数情報を受け取った代表信号処理回路２１０は、それを送信信号変換回路２４０から受信する送信トラフィックの無線フレームに挿入して無線伝送路を介して対向無線伝送装置に送信する。なお、図５を参照すると、送信信号変換回路２４０から各信号処理回路の送信処理部に向けた細線矢印が、送信トラフィックの無線フレームを伝送する信号線である。
【０１１１】
また、ここまでの動作は、図８のシーケンスでは、ステップＳ１５４およびＳ１５５に相当する。
【０１１２】
最適送信リンク数を受け取った対向無線伝送装置は、この最適送信リンク数に対応する数の受信処理部を信号処理回路にて動作させる。そして、受信処理部の動作により受信準備が完了すると、受信準備が完了した旨の受信準備完了通知を返送する。なお、この対向無線伝送装置における受信動作は、図７および図９を参照して別途説明する無線伝送装置２００の受信動作と同じである。
【０１１３】
代表信号処理回路２１０は、対向無線伝送装置から返送された受信準備完了通知を含む受信トラフィックの無線フレームを受信処理部で受信する（Ｓ１３４、図８のＳ１５６）。そして、代表信号処理回路２１０は、受信した無線フレームから受信準備完了通知を抽出して、論理リンク形成制御回路２３０に伝送する（図８のＳ１５７）。
【０１１４】
図５を参照すると、代表信号処理回路２１０の受信処理部から論理リンク形成制御回路２３０に向けた太線矢印が、受信準備完了通知を伝送する受信情報用信号線である。また、各信号処理回路の受信処理部で受信した受信トラフィックの無線フレームは、受信信号変換回路２５０に向かう細破線矢印で示される信号線で伝送される。
【０１１５】
受信準備完了通知を受けた論理リンク形成制御回路２３０は、ステップＳ１３１（図８のＳ１５３）で算出した最適送信リンク数に対応する数の信号処理回路の送信処理部のみを動作状態にする（Ｓ１３５、図８のＳ１５８）。つまり、初期状態では複数の信号処理回路のうち、最適送信リンク数に対応する数の信号処理回路の送信処理部のみを動作状態にする。また、更新された最適送信リンク数が増加して、既に使用中の物理リンクをさらに増加させる場合は、増加数に対応する数の信号処理回路の送信処理部を動作状態にする。
【０１１６】
このとき、付与された連番の若番順に、必要とする数の信号処理回路の送信処理部を動作させるものとする。
【０１１７】
図５を参照すると、論理リンク形成制御回路２３０から信号処理回路２１０、２１１、２１２〜２１ｎの送信処理部に向けた太点線矢印が、各送信処理部の動作制御を行う制御線である。論理リンク形成制御回路２３０は、この制御線を使って、所望の送信処理部の動作制御を行う。
【０１１８】
例えば、最適送信リンク数が「２」の場合、代表信号処理回路２１０と信号処理回路２１１の各送信処理部が動作状態に設定され、他の信号処理回路に含まれる送信処理部は停止状態にされる。つまり、最適送信リンク数に対応する数の信号処理回路に含まれる送信処理部のみが動作状態にされる。なお、代表信号処理回路の送信処理部は常に使用状態にされる。また、更新された最適送信リンク数が「３」に増加したときは、信号処理回路２１２の送信処理部を動作させる。
【０１１９】
つまり、論理リンク形成制御回路２３０は、最適送信リンク数に対応する数の送信処理部のみを動作状態にするとき、付与された連番の若番順に、最適送信リンク数に対応する数の送信処理部を動作状態にする。そして、最適送信リンク数が増加した場合は、増加数に対応する数の送信処理部を動作状態にするとき、動作中の送信処理部に付された最老番の連番の次の番号から若番順に、最適送信リンク数の増加数に対応する数の送信処理部を動作状態にする。
【０１２０】
最適送信リンク数に対応する数の送信処理部を動作状態にした論理リンク形成制御回路２３０は、動作状態の送信処理部のそれぞれが形成する物理リンクを並行利用して１つの論理リンクを無線伝送路として形成する（Ｓ１３９、図８のＳ１５９）。
【０１２１】
以上が、第２の実施形態の無線伝送装置２００の送信処理の動作である。
【０１２２】
次に、図７と、適宜図９を参照して、無線伝送装置２００の受信処理の動作を説明する。
【０１２３】
この受信処理の動作は、前述した送信処理の動作における対向無線伝送装置の動作でもある。また、受信処理の動作では、受信した最適送信リンク数が更新されて減少していた場合の例についても言及する。
【０１２４】
無線伝送装置２００は、対向無線伝送装置から受信トラフィックの無線フレームを、信号処理回路２１０、２１１、２１２〜２１ｎの受信処理部で受信する。対向無線伝送装置が決定して送信した最適送信リンク数は、代表信号処理回路が扱う無線フレームに含まれて伝送される。
【０１２５】
したがって、受信処理の場合、代表信号処理回路２１０は、受信処理部で受信した無線フレームから、対向無線伝送装置が決定した最適送信リンク数情報を抽出する（Ｓ１４１、Ｓ１４２、図９のＳ１６１）。
【０１２６】
代表信号処理回路２１０は、抽出した最適送信リンク数情報を論理リンク形成制御回路２３０に伝送する（図９のＳ１６２）。図５を参照すると、代表信号処理回路２１０の受信処理部から論理リンク形成制御回路２３０に向けた太線矢印が、対向無線伝送装置から受信した最適送信リンク数情報を伝送する受信情報用信号線である。
【０１２７】
対向無線伝送装置が決定した最適送信リンク数を知った論理リンク形成制御回路２３０は、その最適送信リンク数に対応する数の受信処理部を決定する（Ｓ１４３、図９のＳ１６３）。
【０１２８】
そして、論理リンク形成制御回路２３０は、決定した受信処理部のみを動作状態にする（Ｓ１４４、図９のＳ１６４）。また、受信した最適送信リンク数が増加して、既に使用中の物理リンクをさらに増加させる場合は、増加数に対応する数の信号処理回路の受信処理部を動作状態にする。
【０１２９】
このとき、論理リンク形成制御回路２３０は、付与された連番の若番順に、必要とする数の信号処理回路の受信処理部を動作させるものとする。
【０１３０】
逆に、受信した最適送信リンク数が減少して、既に使用中の物理リンクを減少させる場合は、減少数に対応する数の信号処理回路の受信処理部を停止状態にする。
【０１３１】
図５を参照すると、論理リンク形成制御回路２３０から信号処理回路（２１０、２１１、２１２〜２１ｎ）の受信処理部に向けた太一点鎖線矢印が、各受信処理部の動作制御を行う制御線である。論理リンク形成制御回路２３０は、この制御線を使って、所望の受信処理部の動作制御を行う。
【０１３２】
例えば、対向無線伝送装置から通知された最適送信リンク数が「２」の場合、代表信号処理回路２１０と信号処理回路２１１の各受信処理部が動作状態に設定され、他の信号処理回路に含まれる受信処理部は停止状態にされる。つまり、対向無線伝送装置から通知された最適送信リンク数に対応する数の信号処理回路に含まれる受信処理部のみが動作状態にされる。なお、代表信号処理回路の受信処理部は常に使用状態にされる。また、受信した最適送信リンク数が「３」に増加したときは、信号処理回路２１２の受信処理部を動作させる。
【０１３３】
つまり、論理リンク形成制御回路２３０は、最適送信リンク数に対応する数の受信処理部のみを動作状態にするとき、付与された連番の若番順に、最適送信リンク数に対応する数の受信処理部を動作状態にする。そして、最適送信リンク数が増加した場合は、増加数に対応する数の受信処理部を動作状態にするとき、動作中の受信処理部に付された最老番の連番の次の番号から若番順に、最適送信リンク数の増加数に対応する数の受信処理部を動作状態にする。
【０１３４】
また、論理リンク形成制御回路２３０は、受信した最適送信リンク数が減少した場合、最老番が付された動作中の受信処理部から老番順に、最適送信リンク数の減少数に対応する数の受信処理部を停止状態にする。
【０１３５】
決定した受信処理部のみを動作状態にした論理リンク形成制御部２３０は、新たに形成する論理リンクでの受信準備が完了したことを示す受信準備完了通知を対向無線伝送装置に返送する（Ｓ１４５、図９のＳ１６５、１６６）。
【０１３６】
この受信準備完了通知は、論理リンク形成制御部２３０から代表信号処理回路２１０に転送され、送信処理部において送信トラフィックの無線フレームに挿入されて対向無線伝送装置に送信される。図５を参照すると、論理リンク形成制御回路２３０から代表信号処理回路２１０の送信処理部に向けた太線矢印が、受信準備完了通知を伝送する送信情報用信号線である。
【０１３７】
また、最適送信リンク数に対応する数の受信処理部を動作状態にした論理リンク形成制御回路２３０は、動作状態の受信処理部の物理リンクを並行利用して１つの論理リンクの無線伝送路として扱う（Ｓ１４６、図９のＳ１６７）。
【０１３８】
一方、送信処理で説明したように、受信準備完了通知を受け取った送信側である対向無線伝送装置では、最適送信リンク数に対応する数の送信処理部が動作して、それらの物理リンクを並行利用した１つの論理リンクの無線伝送路が形成される。
【０１３９】
以上が、第２の実施形態の無線伝送装置２００の受信処理の動作である。
【０１４０】
次に、図６と、適宜図１０を参照して、無線伝送装置２００の最適送信リンク数が減少した場合の送信処理の動作を説明する。
【０１４１】
図６を参照して説明したように、論理リンク形成制御回路２３０は、トラフィック監視回路２２０から通知された送信伝送レートにもとづいて算出した最適送信リンク数の増減をステップＳ１３２で判定する。以降の説明は、この判定において最適送信リンク数が減少した場合の処理（Ｓ１３２、減）についての説明である。なお、図１０では、ステップＳ１７１乃至Ｓ１７３の動作が該当する。
【０１４２】
最適送信リンク数の減少を判定した論理リンク形成制御回路２３０は、最適送信リンク数に対応する数の信号処理回路の送信処理部のみを動作させる（Ｓ１３６、図１０のＳ１７４）。
【０１４３】
図５を参照すると、論理リンク形成制御回路２３０から信号処理回路２１０、２１１、２１２〜２１ｎの送信処理部に向けた太点線矢印が、各送信処理部の動作制御を行う制御線である。論理リンク形成制御回路２３０は、この制御線を使って、所望の送信処理部の動作制御を行う。
【０１４４】
例えば、それまでの最適送信リンク数が「３」で、代表信号処理回路２１０、信号処理回路２１１および信号処理回路２１２の各送信処理部が動作状態であったとする。ステップＳ１３１で算出した最適送信リンク数が「２」になると、ステップＳ１３２の判定（Ｓ１３２、減）で、ステップＳ１３６が実行される。
【０１４５】
ステップＳ１３６では、変更後の最適送信リンク数「２」に対応する数の信号処理回路の送信処理部のみを動作状態にする処理が行われる。この場合、動作している送信処理部のうちの１つを停止状態にするので、動作している送信処理部のうちの最老番が付された信号処理回路２１２の送信処理部が停止状態にさせられる。
【０１４６】
つまり、論理リンク形成制御回路２３０は、最適送信リンク数が減少した場合、最老番が付された動作中の送信処理部から老番順に、最適送信リンク数の減少数に対応する数の送信処理部を停止状態にする。
【０１４７】
動作状態の送信処理部の数を最適送信リンク数に合わせた論理リンク形成制御回路２３０は、ステップＳ１３１で算出した最適送信リンク数を対向無線伝送装置に送信する（Ｓ１３７、図１０のＳ１７５、Ｓ１７６）。これは、当該無線伝送装置で動作を停止させた送信処理部に対応する対向無線伝送装置における受信処理部の動作を停止させるためである。
【０１４８】
最適送信リンク数を対向無線伝送装置に送信する処理は、ステップＳ１３３で説明した処理と同じである。
【０１４９】
論理リンク形成制御回路２３０は、最適送信リンク数を対向無線伝送装置に送るべく、前述した送信情報用信号線を用いて最適送信リンク数の情報を代表信号処理回路２１０に伝送する。代表信号処理回路２１０は、最適送信リンク数を送信トラフィックの無線フレームに挿入して無線伝送路を介して対向無線伝送装置に送信する。
【０１５０】
最適送信リンク数を受け取った対向無線伝送装置は、この最適送信リンク数に対応する数の受信処理部を信号処理回路にて動作状態にする。つまり、この場合は、動作していた受信処理部のうちの１つを停止状態にするので、動作していた受信処理部のうちの最老番が付された信号処理回路２１２の受信処理部が停止状態にさせられる。なお、この対向無線伝送装置における受信動作は、図７および図９を参照して説明した無線伝送装置２００の受信動作のとおりである。
【０１５１】
動作する受信処理部の数を最適送信リンク数と同じにする制御が完了した対向無線伝送装置から、受信準備完了通知が返送される。
【０１５２】
代表信号処理回路２１０は、対向無線伝送装置から返送された受信準備完了通知を含む受信トラフィックの無線フレームを受信処理部で受信する（Ｓ１３８、図１０のＳ１７７）。そして、代表信号処理回路２１０は、受信した無線フレームから受信準備完了通知を抽出して、前述した受信情報用信号線を用いて受信準備完了通知を論理リンク形成制御回路２３０に伝送する（図１０のＳ１７８）。
【０１５３】
受信準備完了通知を受信した論理リンク形成制御回路２３０は、動作状態の送信処理部のそれぞれが形成する物理リンクを並行利用して１つの論理リンクを無線伝送路として形成する（Ｓ１３９、図１０のＳ１７９）。
【０１５４】
以上が、第２の実施形態の無線伝送装置２００の最適送信リンク数が減少した場合の送信処理の動作である。
【０１５５】
なお、第２の実施形態では、トラフィック監視回路２２０は、一定時間監視した平均値の送信伝送レートに所定の増減の変化があった場合に、論理リンク形成制御回路２３０に通知するものとして説明した。
【０１５６】
しかし、トラフィック監視回路２２０は、送信伝送レートの増減の変化を識別することなく、定期的に送信伝送レートを論理リンク形成制御回路２３０に通知するように構成してもよい。この場合、論理リンク形成制御回路２３０は、通知された送信伝送レートの増減の変化を識別し、最適送信リンク数を変更すべきか否かを判定するように構成する。
【０１５７】
以上に説明したように、本実施形態では、送信伝送レートが増加した場合は、増加させる物理リンクに対応する受信処理部の準備が完了してから物理リンクを増加させてリンクアグリゲーション制御を行う。一方、送信伝送レートが減少した場合は、物理リンクを減らし、それに対応する受信処理部の操作が停止してから物理リンクを減少したリンクアグリゲーション制御を行う。
【０１５８】
そのため、無線伝送装置が処理するトラフィック量の変化に応じて、対向無線伝送装置との間で送信処理部と受信処理部を最適数に変化させたリンクアグリゲーション制御が速やかに実行される。
【０１５９】
また、同一の無線伝送装置においては、送信方向と受信方向を通過するそれぞれのデータ量に応じて、それぞれに最適な数の送信処理部と受信処理部が使用される。つまり、複数の信号処理回路のそれぞれには、送信処理部と受信処理部とが含まれるが、送信方向と受信方向を通過するそれぞれのデータ量に応じて、異なる数の送信処理部と受信処理部が使用され得る。そして、不要な送信処理部および受信処理部は停止状態にされる。
【０１６０】
したがって、本実施形態では、通過するトラフィック量に合わせて、送信処理部と受信処理部のそれぞれが最適な使用数に制御され、無線伝送装置全体の消費電力を低減することができる。
【符号の説明】
【０１６１】
１    無線伝送システム
１０    送信側無線伝送装置
１１、１２、１３、１ｎ    送信処理手段
２０    受信側無線伝送装置
２１、２２、２３、２ｎ    受信処理手段
１００、２００    無線伝送装置
１１０、１１１、１１２、１１ｎ  送信処理手段
１２０、１２１、１２２、１２ｎ  受信処理手段
１３０    トラフィック監視手段
１４０    論理リンク形成制御手段
２１０    代表信号処理回路
２１１、２１２、２１３、２１ｎ  信号処理回路
２２０    トラフィック監視回路
２３０    論理リンク形成制御回路
２４０    送信信号変換回路
２５０    受信信号変換回路
【図１】
2015136051.tif 000003
【図２】
2015136051.tif 000004
【図３】
2015136051.tif 000005
【図４】
2015136051.tif 000006
【図５】
2015136051.tif 000007
【図６】
2015136051.tif 000008
【図７】
2015136051.tif 000009
【図８】
2015136051.tif 000010
【図９】
2015136051.tif 000011
【図１０】
2015136051.tif 000012